(57)【特許請求の範囲】
【請求項１】
液体の取り出しを行う円筒ノズルが上部に設けられている液体貯蔵用の容器であって、
前記円筒ノズルに取り付けられ、容器底面に沿うよう下端部を略水平方向に湾曲させたサイフォン管の先端開口を容器底部近傍まで挿入して前記容器内から液体の引き出しを行うコネクタが、前記円筒ノズルに形成された容器側のねじ部と螺合するねじ部を有する結合部と、前記円筒ノズルに挿入して取り付けられ、前記結合部と中心軸を共有して組付可能とされた本体とを具備し、
前記結合部は、前記本体に対し回転可能でかつ軸方向にスライド可能となるように係合され、
前記本体は、前記円筒ノズルに対して挿入後に、前記結合部を回転させて前記円筒ノズルに螺合接続することで前記円筒ノズルに固定され、
前記サイフォン管の上端部を固定した前記本体が、前記円筒ノズルに対して回転することを阻止する回り止め機構を備えていることを特徴とする容器。
【請求項２】
前記回り止め機構は、前記円筒ノズル及び前記本体に形成した１組または複数組の凹凸係合部及び／または面取係合部であることを特徴とする請求項１に記載の容器。
【請求項３】
前記回り止め機構は、前記円筒ノズルの円周方向位置を前記サイフォン管の湾曲方向と一致させた１組であることを特徴とする請求項２に記載の容器。
【請求項４】
前記回り止め機構は、前記円筒ノズルの円周方向位置を非対称にした複数組であることを特徴とする請求項２に記載の容器。
【請求項５】
前記容器のねじ部と前記結合部のねじ部との螺合位置は、前記円筒ノズルのコネクタシール位置より上方に配置されていることを特徴とする請求項１から４のいずれかに記載の容器。
【発明の詳細な説明】
【技術分野】
【０００１】
本発明は、液体を貯蔵する容器に関する。
【背景技術】
【０００２】
一般に、半導体高純度薬品や一般化学薬品等の液体は、生産工場にてタンクなどの容器に充填され、この容器に形成された少なくとも一対の開口部にキャップ（蓋）を嵌め込んだ状態で出荷されている。
この容器に貯留された液体を取り出す場合には、まず、容器の開口部に嵌め込まれていたキャップを取り外し、サイフォン管が接続されたプラグと、サイフォン管が接続されていないプラグがそれぞれ取り付けられる。そして、液送ホースが接続されたソケットをサイフォン管が接続されたプラグに接続し、また、気送ホースが接続されたソケットをサイフォン管が接続されていないプラグに接続する。
【０００３】
この状態において、ポンプによって容器内の液体がサイフォン管からプラグへと吸い上げられ、ソケットに接続された液送ホースへと送り出されていた。このとき、容器内が負圧とならないように、他方のソケットに接続された気送ホースから窒素等の気体が取り入れられていた。
このように、ソケットをプラグにワンタッチで接続するための技術としては、コネクタが知られている。従来のコネクタにおいては、容器内から引き出せない液体量（以下「残液量」という）を減らすため、容器の底面に向かって伸びるサイフォン管の開口部が底面近傍に配置されている。なお、従来のコネクタには、液体吸い上げ用の液送ホース及び気体取り入れ用の気送ホースについて、１つのコネクタに両方のホースを接続可能に構成されたものもある。
【０００４】
また、コネクタを取り付けて使用する容器には、底面を下方（外側）へ湾曲させて凹部を形成したものがある。この容器に取り付けて使用するコネクタは、サイフォン管の下端部側を水平方向へ向けて略９０度の湾曲をさせることにより、サイフォン管先端の開口部を容器内底面に形成された凹部の最も深い領域に配置させて、残液量を低減することができる。
さらに、サイフォン管の下端部を湾曲させたコネクタにおいては、結合部及びコネクタ本体を中心軸回りに相対回転可能に接続する構造が提案されている。このようなコネクタは、コネクタ本体に配置されたプラグ部に固定されたサイフォン管を回転させることなくコネクタを容器に設置できるため、容器内において液体が残存する領域（凹部）にサイフォン管の先端を配置しやすくなり、従って、容器内の残液量を減らすことができる。（たとえば、特許文献１参照）
【先行技術文献】
【特許文献】
【０００５】
【特許文献１】特開２００６−１８２４００号公報
【発明の概要】
【発明が解決しようとする課題】
【０００６】
ところで、サイフォン管の下端部側を湾曲させて残液量を低減するコネクタの場合、コネクタ本体が容器の開口部に圧入して挿入された後、コネクタ本体に対して中心軸回りに相対回転可能な結合部を容器の開口部に螺合させて固定する。このため、結合部を螺合させる際、コネクタ本体のプラグ部に固定されたサイフォン管を回転させる必要はなく、従って、容器側の底面凹部に開口部を配置して残液量を低減できる。
しかし、容器側の開口部に圧入して取り付けられているコネクタ本体に対し、結合部を回転させて螺合接続する場合には、螺合時の最終的な締付力（回転力）を受けてコネクタ本体も連れ回りすることがあった。このような連れ回りは、コネクタ本体に接続されて湾曲するサイフォン管の向きも変化させるため、サイフォン管の先端開口部が容器内に形成された凹部から位置ずれして残液量を増す原因となる。
【０００７】
このような背景から、凹部を有する容器に対し、下端部が湾曲して開口するサイフォン管の位置や向きを正確に定めて容易に取り付けることができ、容器内の残液量を最小限にして液体を吸い出せるコネクタがある。
本発明は、上記の事情に鑑みてなされたものであり、その目的とするところは、開口部にコネクタ本体を圧入して取り付けられる容器において、たとえば結合部を容器の開口部に螺合させて取り付けることによりコネクタ本体を固定する場合等に、コネクタ本体及びサイフォン管が連れ回りすることを防止し、下端部を湾曲させたサイフォン管の回転方向位置が変動しない容器を提供することにある。
【課題を解決するための手段】
【０００８】
本発明は、上記の課題を解決するため、下記の手段を採用した。
本発明の参考例に係る容器は、液体の取り出しを行う円筒ノズルが上部に設けられ、容器底面に沿うよう下端部を略水平方向に湾曲させたサイフォン管の先端開口を容器底部近傍まで挿入して前記容器内から液体の引き出しを行うとともに、前記サイフォン管の上端部を固定したコネクタが前記円筒ノズルに取り付けられる液体貯蔵用の容器であって、前記コネクタが前記円筒ノズルに対して回転することを阻止する回り止め機構を備えていることを特徴とするものである。
【０００９】
このような参考例の容器によれば、コネクタが円筒ノズルに対して回転することを阻止する回り止め機構を備えているので、円筒ノズルから容器内に挿入されたサイフォン管の回転方向位置（湾曲したサイフォン管の向き）が変動することを防止し、容器内の残液量を最小限にする所定の位置及び方向に保持して液体を吸い出すことができる。
【００１０】
本発明に係る容器は、液体の取り出しを行う円筒ノズルが上部に設けられている液体貯蔵用の容器であって、前記円筒ノズルに取り付けられ、容器底面に沿うよう下端部を略水平方向に湾曲させたサイフォン管の先端開口を容器底部近傍まで挿入して前記容器内から液体の引き出しを行うコネクタが、前記円筒ノズルに形成された容器側のねじ部と螺合するねじ部を有する結合部と、前記円筒ノズルに挿入して取り付けられ、前記結合部と中心軸を共有して組付可能とされた本体とを具備し、前記結合部は、前記本体に対し回転可能でかつ軸方向にスライド可能となるように係合され、前記本体は、前記円筒ノズルに対して挿入後に、前記結合部を回転させて前記円筒ノズルに螺合接続することで前記円筒ノズルに固定され、前記サイフォン管の上端部を固定した前記本体が、前記円筒ノズルに対して回転することを阻止する回り止め機構を備えていることを特徴とするものである。
【００１１】
このような本発明の容器によれば、前記円筒ノズルに取り付けられ、容器底面に沿うよう下端部を略水平方向に湾曲させたサイフォン管の先端開口を容器底部近傍まで挿入して前記容器内から液体の引き出しを行うコネクタが、前記円筒ノズルに形成された容器側のねじ部と螺合するねじ部を有する結合部と、前記円筒ノズルに挿入して取り付けられ、前記結合部と中心軸を共有して組付可能とされた本体とを具備し、結合部は、本体に対し回転可能でかつ軸方向にスライド可能となるように係合され、本体は、円筒ノズルに対して挿入後に、結合部を回転させて円筒ノズルに螺合接続することで円筒ノズルに固定され、サイフォン管の上端部を固定した本体が、円筒ノズルに対して回転することを阻止する回り止め機構を備えているので、結合部を容器の円筒ノズルにねじ込んでコネクタを固定する際には、回り止め機構の作用により、本体及びサイフォン管が連れ廻りすることを防止できるようになる。従って、円筒ノズルから容器内に圧入して挿入されたサイフォン管の回転方向位置（湾曲したサイフォン管の向き）が変動することを防止し、容器内の残液量を最小限にする所定の位置及び方向に保持して液体を吸い出すことができる。
【００１２】
上記の容器において、前記回り止め機構は、前記円筒ノズル及び前記本体に形成した１組または複数組の凹凸係合部及び／または面取係合部であることが好ましく、これにより、本体及びサイフォン管の連れ回りを確実に防止することができる。
この場合、前記回り止め機構は、前記円筒ノズルの円周方向位置を前記サイフォン管の湾曲方向と一致させた１組とすることにより、本体を円筒ノズルに挿入する際には、先端を湾曲させたサイフォン管の挿入方向（湾曲したサイフォン管の向き）を作業者が容易に認識できるようになる。
また、前記回り止め機構は、前記円筒ノズルの円周方向位置を非対称にした複数組とすることにより、本体を円筒ノズルに挿入する際には、本体の回転方向位置（湾曲したサイフォン管の向き）が一義的に決定される。
【００１３】
上記の容器において、前記容器のねじ部と前記結合部のねじ部との螺合位置は、前記円筒ノズルのコネクタシール位置より上方に配置されていることが好ましく、これにより、螺合位置に対して容器内の液体が付着しにくくなる。
【００１４】
本発明の参考例に係る容器は、液体の取り出しを行う円筒ノズルが上部に設けられている液体貯蔵用の容器であって、前記円筒ノズルに圧入して取り付けられ、容器底面に沿うよう下端部を略水平方向に湾曲させたサイフォン管の先端開口を容器底部近傍まで挿入して前記容器内から液体の引き出しを行うコネクタが、前記サイフォン管の上端部を固定した本体に圧入量を規定するフランジ部を備え、前記フランジ部が前記円筒ノズルに対して回転することを阻止する回り止め機構を備えていることを特徴とするものである。
【００１５】
このような参考例の容器によれば、前記円筒ノズルに圧入して取り付けられ、容器底面に沿うよう下端部を略水平方向に湾曲させたサイフォン管の先端開口を容器底部近傍まで挿入して前記容器内から液体の引き出しを行うコネクタが、前記サイフォン管の上端部を固定した本体に圧入量を規定するフランジ部を備え、前記フランジ部が前記円筒ノズルに対して回転することを阻止する回り止め機構を備えているので、円筒ノズルから容器内に挿入されたサイフォン管の回転方向位置（湾曲したサイフォン管の向き）が変動することを防止し、容器内の残液量を最小限にする所定の位置及び方向に保持して液体を吸い出すことができる。すなわち、円筒ノズルに対して本体及びサイフォン管が回動することを防止し、サイフォン管の向きを所定の位置及び方向に保持することができる。
この場合の廻り止め機構は、円筒ノズル及びフランジ部に形成した１組または複数組の凹凸係合部及び／または面取係合部が好ましい。
【発明の効果】
【００１６】
本発明の容器によれば、容器側の開口部である円筒ノズルに圧入して取り付けられているコネクタ本体を固定するため、円筒ノズルに対して結合部を回転させて螺合接続するコネクタの構造においては、回り止め機構が結合部の締め付けによる本体及びサイフォン管の連れ回りを防止するので、サイフォン管の湾曲部を所定の位置及び方向に保持することができる。また、円筒ノズルに本体を圧入するコネクタの構造においては、回り止め機構が筒状ノズルに対する本体及びサイフォン管の回動を防止し、サイフォン管を所定の位置及び方向に保持することができる。
この結果、容器内の底部まで挿入されたサイフォン管の開口部は、予め設定された容器内の最も低い位置にあって所定の方向に向けられているので、容器内の液体を最大限に引き出すことができ、従って、容器内の残液量を確実に最小にするという顕著な効果を奏する。
【図面の簡単な説明】
【００１７】
【図１】本発明の第１の実施形態に係る容器について、コネクタ（ねじがシール部の上部）を容器に取り付けた状態の断面図であり、上部には円筒ノズルに結合部を接続する前の状態が示され、下部には円筒ノズルに結合部を接続して固定した状態が示されている。
【図２】回り止め構造を示す図１のＡ−Ａ断面図である。
【図３】本発明の容器に取り付けられるコネクタとの位置関係を示す図である。
【図４】図２に示した回り止め構造について、第１変形例を示す図１のＡ−Ａ断面図である。
【図５】図２に示した回り止め構造について、第２変形例を示す図１のＡ−Ａ断面図である。
【図６】図２に示した回り止め構造について、第３変形例を示す図１のＡ−Ａ断面図である。
【図７】図２に示した回り止め構造について、第４変形例を示す図１のＡ−Ａ断面図である。
【図８】図２に示した回り止め構造について、第５変形例を示す図１のＡ−Ａ断面図である。
【図９】図１に示す実施形態のコネクタに反力を受ける突出部を設けた第６変形例を示す断面図であり、上部には円筒ノズルに結合部を接続する前の状態が示され、下部には円筒ノズルに結合部を接続して固定した状態が示されている。
【図１０】本発明の第７変形例に係るコネクタ（ねじがシール部の下部）を容器に取り付けた状態の断面図であり、上部には円筒ノズルに結合部を接続する前の状態が示され、下部には円筒ノズルに結合部を接続して固定した状態が示されている。
【図１１】本発明の第８変形例に係るコネクタ（突出部を備えるとともにねじがシール部の下部）を容器に取り付けた状態の断面図であり、上部には円筒ノズルに結合部を接続する前の状態が示され、下部には円筒ノズルに結合部を接続して固定した状態が示されている。
【図１２】本発明の第９変形例に係るコネクタ（ねじがシール部の上部で、本体に対する結合部のストロークはなし）を容器に取り付けた状態の断面図であり、上部には円筒ノズルに結合部を接続する前の状態が示され、下部には円筒ノズルに結合部を接続して固定した状態が示されている。
【図１３】本発明の第１０変形例に係るコネクタ（ねじがシール部の下部で、本体に対する結合部のストロークはなし）を容器に取り付けた状態の断面図であり、上部には円筒ノズルに結合部を接続する前の状態が示され、下部には円筒ノズルに結合部を接続して固定した状態が示されている。
【図１４】本発明の第１１変形例に係るコネクタ（本体／結合部間の突起なし）を容器に取り付けた状態の断面図であり、上部には円筒ノズルに結合部を接続する前の状態が示され、下部には円筒ノズルに結合部を接続して固定した状態が示されている。
【図１５】本発明の参考例に係る容器について、コネクタ（外ねじ型）を容器に取り付けた状態を示しており、（ａ）は平面図、（ｂ）は断面図である。
【図１６】図１５に示すコネクタを備えた容器にキャップを取り付けた状態を示す断面図である。
【図１７】図１５に示す参考例のコネクタにについて、上下方向の凹凸を用いた回り止め構造が採用されている変形例を示す断面図である。
【発明を実施するための形態】
【００１８】
この発明の一実施形態に係る容器について、以下に図面を参照して説明する。
図３は、本発明における容器にコネクタが取り付けられた状態を説明する図であり、液体吸い上げ用の液送ホース及び気体取り入れ用の気送ホースについて、各々専用のコネクタを使用する場合の構成例である。
図３に示すように、液体が貯蓄された容器５１の上面には、二つの開口部５３Ａ、５３Ｂが形成され、一方の開口部５３Ａには液体引き出し用のコネクタ１が配置され、他方の開口部５３Ｂには、気体流通用のコネクタ１′が配置されている。
容器５１の底面５５には、凹状の曲面に湾曲した形状の凹部５５ａが形成されている。なお、図中の凹部５５ａは、容器５１の中央が最も深くなる底面形状の例が示されているが、特にこの形状例に限定されることはなく、他の底面形状により最深部を形成する容器であっても構わない。
【００１９】
コネクタ１，１′には、図３に示すように、ホース５７を有するソケット５９，５９′が着脱可能に取り付けられる。
コネクタ１に取り付けられたソケット５９及びホース５７からは、容器５１内の液体が引き上げられ、コネクタ１′に取り付けられたソケット５９′及びホース５７からは、容器５１内へ気体が供給される。
なお、気体流通用のコネクタ１′及びソケット５９については、上述した構成（図３に示す構成）に限定されることはなく、たとえば液体引き出し用のソケット５９に気体流通系統を接続して容器５１内へ気体を供給する構成としてもよい。
【００２０】
＜第１の実施形態＞
次に、第１の実施形態に係る容器の構造について、図１及び図２を参照して説明する。なお、図１は本発明に係る容器５１の円筒ノズル６１に取り付けたコネクタ１の構成例を示す縦断面図、図２は図１のＡ−Ａ断面図である。
コネクタ１は、図１から図３に示すように、コネクタ１の本体部分であるコネクタ本体（本体）３と、容器５１の円筒ノズル６１に形成された雌ねじ部６３と螺合することにより容器５１に結合される結合部５と、上述したソケット５９との連結部であるプラグ部７と、プラグ部７に固定され、容器５１の内部に向けて伸びるサイフォン管９と、から概略構成されている。なお、円筒ノズル６１は、容器５１に形成された液体取出用の開口部である。
【００２１】
この場合のサイフォン管９は、下端部側が容器底面に沿うよう略水平方向へ向けて９０度程度の湾曲をしており、その先端開口９ａが凹部５５ａの最深部付近で側方に向けて開口している（図３参照）。なお、図示の容器５１は、円筒ノズル６１の内周面にコネクタ１用の雌ねじ部６３が形成され、外周面に容器封止用の容器キャップ（不図示）を取り付けるための雄ねじ部６５が形成されたものである。
【００２２】
コネクタ本体３は略有底円筒状に形成され、その内部にプラグ部７が一体に形成されている。また、コネクタ本体３の開口端側には、略円筒状に形成された結合部５が設けられており、この結合部５は、コネクタ本体３及び結合部５の中心軸Ｃ回りに回転可能となっている。
コネクタ本体３の外周面には、半径方向外側に突出する鍔部１１が形成されている。この鍔部１１は、サイフォン管９側の面（図中下方の面）に配置されたシール部材のＯリング１３を備えている。このＯリング１３は、円筒ノズル６１にコネクタ本体３を圧入した際、容器５１内の液体が漏出するのを防止するものである。
また、コネクタ本体３の開口端側内周面には、円周方向にわたって半径方向の内側（軸中心側）へ突出する本体側突起１５が設けられている。この本体側突起１５は、結合部５と係合するように形成されている。
【００２３】
結合部５には、外周面に円筒ノズル６１の雌ねじ部６３と螺合する雄ねじ部（ねじ部）１７が形成され、外周面の下端には、円周方向にわたって半径方向外側へ突出し、コネクタ本体３の本体側突起１５と係合する結合部側突起１９が形成されている。
結合部側突起１９の外径は本体側突起１５の内径よりも大きく形成され、結合部５をコネクタ本体３に圧入することにより、結合部側突起１９を本体側突起部１５に係合させている。そのため、結合部５とコネクタ本体３とは、中心軸Ｃ回りに回転可能に係合されており、さらに、結合部５は、コネクタ本体３側に形成されて上端部が本体側突起１５となる凹部２１により制限される範囲を上下方向にスライド可能となっている。
【００２４】
プラグ部７は略円筒状に形成され、図１に示すように、コネクタ本体３の底面（図中下方の面）と一体に形成されるとともに、その内部は液体が流通する流通孔２３となっている。また、プラグ部７の外周面には、液体流出防止用のプラグキャップ（不図示）と螺合するキャップ用ねじ部２５が図中の下方端側に形成され、さらに、ソケット５９と係合する環状の係止溝２７及び係止突条２９が中間部付近に形成されている。
なお、プラグキャップは、コネクタ１にソケット５９が取り付けられる際にプラグ部７から取り外され、それ以外の場合には、プラグ部７に取り付けられて流体が流出することを防止している。
また、プラグ部７の下端部には上述した管状部材のサイフォン管９が接続され、流通孔２３と連通して先端開口９ａから液体を取り出す液体流路を形成している。
【００２５】
このように、コネクタ１は、液体を貯蔵する容器５１の上部に設けた円筒ノズル６１に取り付けられ、下端部が容器５１の底面５５に沿うよう略水平方向に湾曲しているサイフォン管９の先端開口９ａを容器底部近傍まで挿入して容器５１内から液体の引き出しを行うものであり、円筒ノズル６１に形成された容器５１側の雌ねじ部（ねじ部）６３と螺合する雄ねじ部（ねじ部）１７を有する結合部５と、円筒ノズル６１に挿入（圧入）して取り付けられ、結合部５と中心軸Ｃを共有して相対回転可能に連結されているコネクタ本体３とを具備して構成される。
そして、このコネクタ１は、円筒ノズル６１からサイフォン管９を挿入するとともに、円筒ノズル６１にコネクタ本体３を圧入して取り付けた後、結合部５の雄ねじ部１７を円筒ノズル６１の雌ねじ部６３にねじ込んで固定することにより、容器５１の円筒ノズル６１に取り付けられる。
【００２６】
本発明では、上述したコネクタ１に対して、サイフォン管９の上端部を固定したコネクタ本体３が円筒ノズル６１に対して回転することを阻止するため、回り止め機構３１を設けている。
この回り止め機構３１は、円筒ノズル６１及びコネクタ本体３に形成した１組または複数組の凹凸係合部及び／または面取係合部である。すなわち、回り止め機構３１が複数組の凹凸係合部や面取係合部により構成される場合には、凹凸係合部のみを複数組、面取係合部のみを複数組、あるいは、凹凸係合部と面取係合部との組合せた複数組のいずれでもよい。
【００２７】
図２に示す回り止め機構３１は、円筒ノズル６１の内周面に設けた１個の凸部３３と、コネクタ本体３の外周面に設けた１個の凹部３５とにより構成された１組の凹凸係合部である。この場合、凸部３３及び凹部３５は略同じ断面形状を有し、円筒ノズル６１にコネクタ本体３を圧入することにより、凹部３５に凸部３３が入り込んで係合する。
この結果、結合部５を容器５１の円筒ノズル６１にねじ込んでコネクタ１を固定する際には、凸部３３と凹部３５とが係合ずる回り止め機構３１の作用により、コネクタ本体３及びサイフォン管９が連れ廻りすることを防止できるようになる。
【００２８】
従って、円筒ノズル６１から容器５１内にコネクタ本体３を圧入して挿入されたサイフォン管９は、その回転方向位置（湾曲したサイフォン管９の向き／湾曲方向）が連れ回りにより変動することを防止できる。この結果、サイフォン管９の先端開口９ａは、容器５１内の所定位置まで確実に挿入され、すなわち、最深部となる凹部５５ａに位置して液体を取り出すことが可能になる。換言すれば、コネクタ本体３の回り止め機構３１を設けたことにより、サイフォン管９を容器５１内の残液量を最小限にする所定位置に保持し、容器５１内の液体を最大限に吸い出すことができる。
このような回り止め機構３１においては、凹凸係合部が１組の場合、凸部３３を設ける円筒ノズル６１の円周方向位置について、サイフォン管９の湾曲方向と一致させることが望ましい。すなわち、凸部３３と凹部３５を設ける円周方向位置をサイフォン管９の湾曲方向と一致させておくことにより、コネクタ本体３を円筒ノズル６１に圧入して挿入する際には、回り止め機構３１の凸部３３が先端を湾曲させたサイフォン管９の挿入方向を定める目安となり、容器５１内に挿入さするサイフォン管９の向き（湾曲方向）を作業者が容易に認識できるようになる。
【００２９】
ところで、上述した回り止め機構３１は、図２に示す凸部３３と凹部３５の組合せに限定されることはなく、種々の変形例が可能である。図４に示す第１変形例の回り止め機構３１Ａは、２組の凸部３３及び凹部３５を設けたものである。なお、凸部３３及び凹部３５は、３組以上の複数組を設けてもよい。
このような構成の回り止め機構３１Ａは、螺合時の最終的な締付力を２組の係合部が受けることになるので、連れ回りに対する回り止め機構３１Ａの強度を増すことができ、この結果、破損しにくい係合部による確実な連れ回りの防止が可能になる。
【００３０】
この場合の回り止め機構３１Ａは、円筒ノズル６１の円周方向位置を非対称にした２組または複数組の係合部を設けることにより、コネクタ本体３を円筒ノズル６１に圧入して挿入する際、コネクタ本体３の回転方向位置（湾曲したサイフォン管９の向き）が一義的に決定される。このため、容器５１に取り付けられたコネクタ本体３及びサイフォン管９は、容器５１内の残液量を最小限にする所定位置に容易かつ確実に保持され、容器５１内の液体を最大限に吸い出すことができる。
【００３１】
また、図５に示す第２変形例の回り止め機構３１Ｂは、図２に示した回り止め機構３１を構成する１組の凸部３３及び凹部３５の形成場所を逆にしたものである。すなわち、凸部３３Ａがコネクタ本体３側に形成され、凹部３５Ａがノズル本体６１側に形成されているので、このような回り止め機構３１Ｂとしても、上述した回り止め機構３１と同様の作用効果を得ることができる。
また、図６に示す第３変形例の回り止め機構３１Ｃは、図４に示した回り止め機構３１Ａを構成する２組（複数組）の凸部３３及び凹部３５の形成場所を逆にしたものであり、やはり回り止め機構３１Ａと同様の作用効果を得ることができる。
【００３２】
また、図７に示す第４変形例の回り止め機構３１Ｄでは、上述した１組の凹凸係合部に代えて、１組の面取係合部が採用されている。すなわち、円形断面を有するコネクタ本体３の外周面に軸方向の全長にわたって１箇所の面取部３７を形成し、かつ、面取部３７に対応する円筒ノズル６１の内周面に平面部３９を形成したものであり、図２及び図５に示した回り止め機構３１，３１Ｂと同様の作用効果を得ることができる。この場合の面取部３７及び平面部３９は、その円周方向位置を容器５１内に挿入されるサイフォン管９の湾曲方向と一致させ、挿入作業時の目安にすることが望ましい。
【００３３】
また、図８に示す第５変形例の回り止め機構３１Ｅは、図７に示した回り止め機構３１Ｄを構成する２組（複数組）の面取部３７及び平面部３９を２組（複数組）形成したものであり、図４及び図６に示した回り止め機構３１Ａ，３１Ｃと同様の作用効果を得ることができる。
【００３４】
また、図１に示すコネクタ１においては、たとえば図９に示す第６変形例のように、コネクタ本体３の外周面に、上方移動時に円筒ノズル６１の下端部と係合する突出部４１を設けておくことが望ましい。なお、図９に示す第６変形例のコネクタ１Ａについて、上述した実施形態と同様の部分には同じ符号を付し、その詳細な説明は省略する。
この突出部４１は、コネクタ本体３の外周面に対し、円周方向に１または複数のリブ状部材や爪状部材を突出させたものであり、円筒ノズル６１から容器５１内に挿入されたサイフォン管９が容器５１の底面に当接して生じる上向きの反力を受けるように配置されている。
【００３５】
すなわち、円筒ノズル６１に圧入されたコネクタ本体３は、外周面から突出する突出部４１が容器５１の内壁（円筒ノズル６１の下端部付近）と係合することにより、所定の係合位置より上方へ円筒ノズル６１から抜け出す方向の移動が制限及び阻止される。
この結果、突出部４１は、コネクタ本体３がサイフォン管９から上向きの反力を受けても所定位置より浮き上がることを防止するので、余計な力を受けることなく結合部５を円筒ノズル６１にねじ込んで雄ねじ部１７と雌ねじ部６３とを容易に螺合させ、コネクタ１を容器５１の円筒ノズル６１に固定することができる。
【００３６】
また、図１及び図９に示す実施形態のコネクタ１は、容器５１の雌ねじ部６３と結合部５の雄ねじ部１７との螺合位置が、円筒ノズル６１のコネクタシール位置より上方に配置されている。すなわち、円筒ノズル６１の雌ねじ部６３と結合部５の雄ねじ部１７とが螺合している位置は、容器５１内の液体が容器外へ漏出することを防止するコネクタシールとして機能するＯリング１３の位置より上方に配置されているので、容器５１内の液体が螺合位置まで流出してねじ部に付着しにくくなる。
従って、螺合位置の雌ねじ部６３や雄ねじ部１７に付着した液体が固化し、結合部５のスムーズな螺合を阻害する原因になることを防止できる。
【００３７】
また、容器５１の雌ねじ部６３と結合部５の雄ねじ部１７との螺合位置については、たとえば図１０や図１１に示す第７及び第８変形例のコネクタ１Ｂ，１Ｃのように、円筒ノズル６１Ａのコネクタシール位置より下方に配置されたものでもよい。なお、図中の符号３Ａはコネクタ本体、５Ａは結合部、１５Ａは本体側突起、１９Ａは結合部側突起、２１Ａは凹部である。
すなわち、上述したＯリング１３の位置については、円筒ノズル６１Ａの雌ねじ部６３と結合部５の雄ねじ部１７との螺合位置より上方としてもよく、このように構成されたコネクタ１Ｂ，１Ｃについても、上述した実施形態及び各変形例の回り止め機構３１，３１Ａ〜３１Ｅのいずれかを設けることにより、同様の作用効果を得ることができる。
なお、図１０に示す第７変形例のコネクタ１Ｂは突出部４１のない構成例であり、さらに、図１１に示す第８変形例のコネクタ１Ｃは突出部４１を備えた構成例である。
【００３８】
また、図１２に示す第９変形例のコネクタ１′は、雄ねじ部１７及び雌ねじ部６３の螺合部がＯリング１３の上部に配置され、本体３′に対する結合部５′の連結部に軸方向のストロークがない構成となっている。すなわち、図１に示したコネクタ１の結合部５は、コネクタ本体３側に形成されて上端部が本体側突起１５となる凹部２１により制限される範囲を上下方向にスライド可能となっているが、この変形例では、凹部２１に相当する部分がない分コンパクトで簡易な構造となる。
また、図１３に示す第１０変形例のコネクタ１Ｂ′は、雄ねじ部１７及び雌ねじ部６３の螺合部がＯリング１３の下部に配置され、本体３Ａ′に対する結合部５Ａ′の連結部に軸方向のストロークがない構成となっている。すなわち、図１０に示したコネクタ１Ｂの結合部５Ａは、コネクタ本体３Ａ側に形成されて上端部が本体側突起１５Ａとなる凹部２１Ａにより制限される範囲を上下方向にスライド可能となっているが、この変形例では、凹部２１Ａに相当する部分がない分コンパクトで簡易な構造となっている。
【００３９】
また、図１４に示す第１１変形例のコネクタ１″は、図１２に示した第９変形例から本体側突起１５及び結合部側突起１９を取り除き、各々分離可能な状態の本体３″及び結合部５″を組み合わせて用いるものである。この場合の結合部５″は、円筒ノズル６１の雌ねじ部６３に雄ねじ部１７をねじ込んで本体３″を上方から固定する。すなわち、円筒ノズル６１の雌ねじ部６３に螺合して組み付けられる結合部５″は、円筒ノズル６１に挿入して取り付けられる本体３″と中心軸を共有して組付可能となっている。
このような構成のコネクタ１″は、凹部２１に相当する部分がない分コンパクトで簡易な構造となり、しかも、結合部５″を共用部品として使い廻すことが可能になる。すなわち、本体３″及び結合部５″を別々の部品にしたので、コネクタ１″の効率的な在庫管理が可能になり、また、誤接続防止機能を備えた結合部５″の場合、結合部５″を本体３″との組合せで両方を交換する必要はなく、様々な種類の結合部５″のみを場面や用途に応じて使い分けることが可能である。
【００４０】
＜参考例＞
続いて、本発明に係る容器について、参考例を図１５から図１７に基づいて説明する。なお、上述した実施形態と同様の部分には同じ符号を付し、その詳細な説明は省略する。
図１５に示すコネクタ１Ｄは、液体を貯蔵する容器５１の上部に設けた円筒ノズル６１Ｂに圧入して取り付けられ、下端部が容器５１の底面に沿うよう略水平方向に湾曲しているサイフォン管９の先端開口９ａを容器底部近傍まで挿入し、容器５１内から液体の引き出しを行うものである。
【００４１】
このコネクタ１Ｄは、サイフォン管９の上端部を固定したコネクタ本体３Ｂが圧入量を規定するフランジ部４３を備え、このフランジ部４３に回り止め機構３１Ｄが設けられている。この回り止め機構３１Ｄは、円筒ノズル６１Ｂに対してコネクタ本体３Ｂが回転することを阻止するものであり、上述した実施形態及び変形例の凹凸係合や面取係合を採用可能である。図示の構成例（図１５（ａ）を参照）では、１箇所の面取係合を採用した図７に示す回り止め機構３１Ｄが採用されている。
この場合の円筒ノズル６１Ｂは、たとえば図１６に示すように、外周面にキャップ４５をねじ込んで取り付ける雄ねじ部６５が設けられている。このキャップ４５は、容器５１内の液体が外部へ流出することを防止するものである。
また、本実施形態のコネクタ本体３Ｂは、単に円筒ノズル６１Ｂの内周面に圧入して取り付けられるものであり、従って、上述した実施形態の結合部５に相当する部材や雌ねじ部６３は存在しない。なお、図中の符号４７は円筒ノズル６１Ｂとコネクタ本体３Ｂとの間に配設されたシール部材、４５ａはキャップ４５に設けられてフランジ部４３に密着するシール部材である。
【００４２】
このように構成されたコネクタ１Ｄにおいても、サイフォン管９の上端部を固定したコネクタ本体３Ｂが圧入量を規定するフランジ部４３を備え、このフランジ部４３に回り止め機構３１Ｄが設けられているので、円筒ノズル６１Ｂの上端部から容器５１内に圧入して挿入されたサイフォン管９の回転方向位置が変動することを防止し、容器５１内の残液量を最小限にする所定位置に保持して液体を吸い出すことができる。従って、円筒ノズル６１Ｂに対してコネクタ本体３Ｂ及びサイフォン管９が回動することを防止でき、サイフォン管９の先端開口９ａを所定の位置及び方向に保持して液体を最大限に取り出すことができる。
【００４３】
また、このようなコネクタ１Ｄは、コネクタ本体３Ｂが圧入量を規定するフランジ部４３を備えているので、たとえば図１７に示す本実施形態の変形例のように、フランジ部４３の下面に設けた凸部４３ａと、シール部材４７を介してフランジ部４３の下面が接する円筒ノズル６１Ｂの上端面６７に形成した凹部６７ａとの係合による回り止め機構３１Ｆも可能である。
なお、フランジ部４３を利用した回り止め機構３１Ｆは、凹凸の設置位置を反対とすることも可能であり、フランジ部４３に凹部を設けておき、シール部材４７を介してフランジ部４３の下面が接する円筒ノズル６１の上端面６７に形成した凸部を係合させるようにしてもよい。
【００４４】
このように、上述した実施形態及び各変形例のコネクタ、及びこれらのコネクタを備えた容器においては、下記の効果が得られる。
容器５１側の開口部である円筒ノズル６１，６１Ａに圧入して取り付けられるコネクタ本体３，３Ａに対して結合部５を回転させて螺合接続するコネクタの場合、回り止め機構３１，３１Ａ〜３１Ｅが結合部５の締め付けによるコネクタ本体３，３Ａ及びサイフォン管９の連れ回りを防止し、サイフォン管９の向きを所定の位置に保持することができる。
また、円筒ノズル６１Ｂにコネクタ本体３Ｂを圧入するコネクタの場合、回り止め機構３１，３１Ａ〜３１Ｆが筒状ノズル６１Ｂに対するコネクタ本体３Ｂ及びサイフォン管９の回動を防止し、サイフォン管９の向きを所定の位置し保持する。
【００４５】
この結果、容器５１内の底部まで挿入されたサイフォン管９の先端開口９ａは、予め設定された容器５１内の最も低い（深い）所定位置（たとえば凹部５５ａ）にあって最大限に液体を引き出すことができ、従って、容器５１内の残液量は確実に最小となる。
このため、上述したコネクタ１，１Ａ〜１Ｄを備えた液体貯蔵用の容器５１は、上部に設けた液体引き出し用の円筒ノズル６１，６１Ａ，６１Ｂに取り付けられたコネクタ１，１Ａ〜１Ｄのサイフォン管９が回り止めされ、容器５１内の残液量を最小限にして液体を吸い出すことができる。
【００４６】
ところで、上述したサイフォン管９の先端には、切欠部（不図示）を形成しておくことが望ましい。この切欠部は、容器５１の内面がサイフォン管９の先端部を塞ぐように接触あるいは接近している場合でも、切欠部から液体をサイフォン管９の内部に流入させるものであり、この結果、サイフォン管９に流入する液体の流量を確保でき、液体を容器５１から確実に引き出すことができる。
なお、本発明は上述した実施形態に限定されることはなく、たとえば上述したコネクタ本体３及びプラグ部７等について、一体構造あるいは別体部品の結合構造を適宜選択可能であるなど、その要旨を逸脱しない範囲内において適宜変更することができる。
【符号の説明】
【００４７】
１，１Ａ〜１Ｄ，１′，１″，１Ｂ′    コネクタ
３，３′，３Ａ，３Ａ′，３Ｂ    コネクタ本体（本体）
５，５′，５″，５Ａ′    結合部
９    サイフォン管
９ａ    先端開口
１７    雄ねじ部（ねじ部）
３１，３１Ａ〜３１Ｆ    回り止め機構
３３，３３Ａ，４３ａ    凸部
３５，３５Ａ，６７ａ    凹部
３７    面取部
３９    平面部
５１    容器
５５    底面
６１，６１Ａ，６１Ｂ    円筒ノズル
６３    雌ねじ部（容器側のねじ部）
Ｃ    中心軸
【図１】
0005395583.tif 000002
【図２】
0005395583.tif 000003
【図３】
0005395583.tif 000004
【図４】
0005395583.tif 000005
【図５】
0005395583.tif 000006
【図６】
0005395583.tif 000007
【図７】
0005395583.tif 000008
【図８】
0005395583.tif 000009
【図９】
0005395583.tif 000010
【図１０】
0005395583.tif 000011
【図１１】
0005395583.tif 000012
【図１２】
0005395583.tif 000013
【図１３】
0005395583.tif 000014
【図１４】
0005395583.tif 000015
【図１５】
0005395583.tif 000016
【図１６】
0005395583.tif 000017
【図１７】
0005395583.tif 000018